(57)【要約】【課題】簡易な構造であり、建て起こし過程の壁体の姿勢が安定する壁体建て起こし装置およびこれを用いた壁体の建て起こし工法を提供する。【解決手段】壁体Ｗの壁面Ｗａを載置支持する壁面支持部５と、底面Ｗｂを載置支持する底面支持部６とを有する壁体支持アーム７と、水平状態に載置された壁体Ｗを建て起こすように、壁体支持アーム７を水平方向の回動軸４回りに回動させるリニアアクチュエータ９と、を備える壁体建て起こし装置１とした。【選択図】図１
2008106493.tif 000002
【特許請求の範囲】
【請求項１】
壁体の一壁面および底面を載置支持する壁体支持手段と、
水平状態に載置された前記壁体を建て起こすように、前記壁体支持手段を水平方向の回動軸回りに回動させる回動手段と、
を備えることを特徴とする壁体建て起こし装置。
【請求項２】
前記壁体支持手段は、前記壁体の上下方向に延設され、前記壁体の一壁面を載置支持する壁面支持部と、この壁面支持部の基端から突設され、前記壁体の底面を載置支持する底面支持部とを有し、かつ前記壁面支持部の基端寄りに前記回動軸を形成した壁体支持アームからなり、
前記回動手段は、前記壁体支持アームの基端寄りに形成された連結軸と連結するリニアアクチュエータを備える構成としたことを特徴とする請求項１に記載の壁体建て起こし装置。
【請求項３】
床に設置され、前記回動軸を介して前記壁体支持アームを回動支持するとともに、前記リニアアクチュエータを内蔵するアーム支持筐体を備え、
このアーム支持筐体と前記壁体支持アームとをともに断面コの字形の鋼材とし、
両鋼材の開口側を互いに対向させて、通常時は両鋼材を重なり合わせて格納する構成としたことを特徴とする請求項２に記載の壁体建て起こし装置。
【請求項４】
請求項２または請求項３に記載の壁体建て起こし装置を複数並設した構成からなり、全ての壁体支持アームが連動するように、隣接し合う壁体支持アーム同士を連結アームにて連結する構成としたことを特徴とする壁体建て起こし装置。
【請求項５】
請求項２ないし請求項４のいずれか１項に記載の壁体建て起こし装置を用いて壁体を建て起こす工法であって、
設置対象の壁下面に前記壁体を建て起こしたときにこの壁下面と前記壁体の底面とが接面するように、前記壁下面および前記底面の少なくとも一方に前記底面支持部の逃げ空間を形成することを特徴とする壁体の建て起こし工法。
【請求項６】
前記逃げ空間は、前記壁下面に間隔を空けて複数設置する調整パッキン同士の間の空間からなることを特徴とする請求項５に記載の壁体の建て起こし工法。
【請求項７】
前記壁体が前記壁体支持手段上に水平に載置された状態において、前記壁体の上縁と床との間に、前記壁体の転倒防止用のワイヤを緩めた状態で予め連結し、
前記壁体が完全に起立する手前の段階から完全に起立するまでの間、手動によりワイヤ長を調整して常に前記ワイヤに緊張力をかけながら前記壁体を建て起こすことを特徴とする請求項５または請求項６に記載の壁体の建て起こし工法。
【請求項８】
前記壁体が完全に起立する手前の段階において、前記壁体の枠組みの下部に穿設された貫通孔を介して、床に穿設されたアンカー孔に前記壁体の滑り防止用のアンカーを挿入することを特徴とする請求項７に記載の壁体の建て起こし工法。
【発明の詳細な説明】
【技術分野】
【０００１】
本発明は、壁体建て起こし装置および壁体の建て起こし工法に関する。
【背景技術】
【０００２】
床等に水平に載置された壁体を垂直に建て起こす方法としては、ツーバイフォー工法の普及時に導入された壁起こし工具や簡易ジャッキを用いた建て起こし方法が主流である。その建て起こし方法の２つの従来例をそれぞれ図７、図８に示す。図７に示す方法は、ロッド８１に、回動レバーのレバー操作によってロッド８１に対して昇降自在となる壁起こし工具８４を取り付け、壁起こし工具８４の爪部８２に壁体８３の上部を載せるというものであり、作業者がロッド８１を倒しつつ壁起こし工具８４の回動レバーを手動操作して壁起こし工具８４を上昇させることにより、爪部８２で壁体８３の上部を持ち上げ、壁体８３を（ａ）→（ｂ）→（ｃ）のように建て起こすものである。（ｂ）から（ｃ）への途中あたりで地面上からでは壁起こし工具８４に手が届かない場合、作業者は脚立などを用いてそのレバー操作を行う。なお、符号８７はロッド８１に対する滑り止め部材である。
【０００３】
図８に示す方法は、多段伸縮式のジャッキ８５を用いた場合であり、ジャッキ８５の先端部と壁体８３の上部とをワイヤ８６で連結した場合を示している。このワイヤ８６は、主に（ａ）に示す初期段階において、水平状態にある壁体８３の上部と立設したジャッキ８５の上部とを連結するために介在するものであり、建て起こしの途中で図示しない巻き取り工具により適宜に巻き取られることで（ｂ）のように短い長さとなる。そして、作業者がジャッキ８５を倒しつつ図示しない駆動手段によりジャッキ８５を伸ばしていくことで、壁体８３を（ａ）→（ｂ）→（ｃ）のように建て起こす。符号８８はジャッキ８５に対する滑り止め部材である。
【０００４】
また、壁体をウインチにより吊り上げながら建て起こす技術が例えば特許文献１に記載されている。
【特許文献１】特開平６−３２２９９２号公報
【発明の開示】
【発明が解決しようとする課題】
【０００５】
上記の建て起こし技術はいずれも壁体の上縁周りのみを支持して建て起こす方式であり、重量のある壁体においては、建て起こし過程の壁体の姿勢が不安定になりやすく、人手も多くかかるという問題がある。それゆえ、上記した技術はいずれも建て起こしの対象が専ら躯体壁のみであり、仕上げを施したような重量のある壁体についてはあまり用いられていないのが実情である。
【０００６】
本発明は、このような問題を解決するために創作されたものであり、簡易な構造であり、建て起こし過程の壁体の姿勢が安定する壁体建て起こし装置およびこれを用いた壁体の建て起こし工法を提供することを目的としている。
【課題を解決するための手段】
【０００７】
本発明は、前記課題を解決するため、壁体の一壁面および底面を載置支持する壁体支持手段と、水平状態に載置された前記壁体を建て起こすように、前記壁体支持手段を水平方向の回動軸回りに回動させる回動手段と、を備えることを特徴とする壁体建て起こし装置とした。
【０００８】
この壁体建て起こし装置によれば、壁体を２つの面で載置支持しながら建て起こすことができるので、重量のある壁体であっても、壁体の建て起こし過程の姿勢を常に安定させることができる。
【０００９】
また本発明は、前記壁体支持手段は、前記壁体の上下方向に延設され、前記壁体の一壁面を載置支持する壁面支持部と、この壁面支持部の基端から突設され、前記壁体の底面を載置支持する底面支持部とを有し、かつ前記壁面支持部の基端寄りに前記回動軸を形成した壁体支持アームからなり、前記回動手段は、前記壁体支持アームの基端寄りに形成された連結軸と連結するリニアアクチュエータを備える構成としたことを特徴とする壁体建て起こし装置とした。
【００１０】
この壁体建て起こし装置によれば、簡易な構造の壁体建て起こし装置を構築できる。特に、連結軸を壁体支持アームの基端寄りに形成したので、すなわち連結軸を回動軸の近傍に位置させたので、リニアアクチュエータの伸縮ストロークに関し、短いストロークで壁体支持アームを回動させることができ、装置のコンパクト化が図れる。
【００１１】
また本発明は、床に設置され、前記回動軸を介して前記壁体支持アームを回動支持するとともに、前記リニアアクチュエータを内蔵するアーム支持筐体を備え、このアーム支持筐体と前記壁体支持アームとをともに断面コの字形の鋼材とし、両鋼材の開口側を互いに対向させて、通常時は両鋼材を重なり合わせて格納する構成としたことを特徴とする壁体建て起こし装置とした。
【００１２】
この壁体建て起こし装置によれば、より一層コンパクトで施工現場までの搬送性に優れた装置とすることができる。
【００１３】
また本発明は、壁体建て起こし装置を複数並設した構成からなり、全ての壁体支持アームが連動するように、隣接し合う壁体支持アーム同士を連結アームにて連結する構成とした。
【００１４】
この壁体建て起こし装置によれば、幅寸法が大きく、重量のある壁体にも容易に対応できる。また、人手も多くかからないため、作業人員に関する省力化が図れる。
【００１５】
また本発明は、前記壁体建て起こし装置を用いて壁体を建て起こす工法であって、設置対象の壁下面に前記壁体を建て起こしたときにこの壁下面と前記壁体の底面とが接面するように、前記壁下面および前記底面の少なくとも一方に前記底面支持部の逃げ空間を形成することを特徴とする壁体の建て起こし工法とした。
【００１６】
この壁体の建て起こし工法によれば、簡易で人手のかからない建て起こし工法を構築できる。
【００１７】
また本発明は、前記逃げ空間は、前記壁下面に間隔を空けて複数設置する調整パッキン同士の間の空間からなることを特徴とする壁体の建て起こし工法とした。
【００１８】
この壁体の建て起こし工法によれば、一層簡易な建て起こし工法を構築できる。
【００１９】
また本発明は、前記壁体が前記壁体支持手段上に水平に載置された状態において、前記壁体の上縁と床との間に、前記壁体の転倒防止用のワイヤを緩めた状態で予め連結し、前記壁体が完全に起立する手前の段階から完全に起立するまでの間、手動によりワイヤ長を調整して常に前記ワイヤに緊張力をかけながら前記壁体を建て起こすことを特徴とする壁体の建て起こし工法とした。
【００２０】
この壁体の建て起こし工法によれば、多くの人手を要することなく略起立状態の壁体の姿勢を安定させることができ、起立時に壁体が勢い余って背面側に転倒するという事態を防止できる。
【００２１】
また本発明は、前記壁体が完全に起立する手前の段階において、前記壁体の枠組みの下部に穿設された貫通孔を介して、床に穿設されたアンカー孔に前記壁体の滑り防止用のアンカーを挿入することを特徴とする壁体の建て起こし工法とした。
【００２２】
この壁体の建て起こし工法によれば、多くの人手を要することなく略起立状態の壁体の位置を安定させることができ、起立時に壁体が勢い余って底面支持部上を滑るという事態を防止できる。
【発明の効果】
【００２３】
本発明によれば、建て起こし過程の壁体の姿勢を安定させることができ、高い安全性を確保できる。
【発明を実施するための最良の形態】
【００２４】
図１、図２はそれぞれ本発明に係る壁体建て起こし装置の外観斜視図、作用側面図、図３は図１に示した壁体建て起こし装置を複数並設して連結した場合の外観斜視図、図４は壁体の外観斜視図である。先ず、建て起こしの対象となる壁体Ｗについて説明すると、図４は壁体Ｗを木造壁とした例を示しており、外郭をなす横長矩形状の枠組みＷｃに対し、複数の補強柱Ｗｄを取り付けるとともに、背面側に壁板Ｗｅを張設した構造となっている。正面側の壁面Ｗａと底面Ｗｂとが後記する壁体建て起こし装置１に載置支持される面となるが、壁面Ｗａについては壁板が張設されていないことから、この場合の壁面Ｗａとは、補強柱Ｗｄの正面側の面を指す。
【００２５】
図１ないし図３において、壁体建て起こし装置１は、壁体Ｗの一壁面である壁面Ｗａおよび底面Ｗｂを載置支持する壁体支持手段２と、水平状態に載置された壁体Ｗを建て起こすように、壁体支持手段２を水平方向の回動軸４回りに回動させる回動手段３と、を備える。本実施形態においては、壁体支持手段２の具体例として、壁体Ｗの上下方向に延設され、壁体Ｗの壁面Ｗａを載置支持する壁面支持部５と、この壁面支持部５の基端から突設され、壁体Ｗの底面Ｗｂを載置支持する底面支持部６とを有し、かつ壁面支持部５の基端寄りに回動軸４を形成した壁体支持アーム７としている。また、回動手段３として、壁体支持アーム７の基端寄りに形成された連結軸８と連結するリニアアクチュエータ９を備える構成としている。
【００２６】
壁体支持アーム７は、例えば断面コの字形を呈する溝形鋼からなり、ウェブ面の外側が前記した壁面支持部５を構成する。つまり、このウェブ面からなる壁面支持部５は壁体Ｗの壁面Ｗａを面支持する。壁体支持アーム７の基端には、前記ウェブ面に直交するように略矩形状の平板が固設されており、この平板が前記した底面支持部６を構成する。底面支持部６は壁体Ｗの底面Ｗｂを面支持する。
【００２７】
壁体支持アーム７は、回動軸４を介してアーム支持筐体１０に回動支持される。アーム支持筐体１０も断面コの字形を呈する溝形鋼からなり、そのウェブ面が床に接面するように床上に設置される。アーム支持筐体１０を床に堅固に固定する場合、例えばフランジ面から固定板１１を突設し、この固定板１１にねじ挿通孔１１ａを設けて、図示しないねじにより固定板１１を床にねじ止めするなど適宜な措置が採られる。アーム支持筐体１０はそのウェブ幅寸法が壁体支持アーム７のそれよりも小さい鋼材からなり、アーム支持筐体１０の各フランジ面の外側に壁体支持アーム７の各フランジ面が重なるかたちで、壁体支持アーム７のフランジ面の基端寄りとアーム支持筐体１０のフランジ面の基端寄りとが回動軸４により連結される。
【００２８】
アーム支持筐体１０には前記したリニアアクチュエータ９が内蔵される。リニアアクチュエータ９としてはシリンダが好適であり、本実施形態では油圧シリンダとしている。この油圧シリンダからなるリニアアクチュエータ９は、ロッド９ｂが回動軸４側に臨むようにして、本体９ａがアーム支持筐体１０内において水平に固設される。油圧ポンプＰからの圧油を供給する油圧ホース９ｄは、アーム支持筐体１０の一方のフランジ面に穿設されたホース孔を介して本体９ａに接続している。ロッド９ｂの先端には、棒状部材である連結部材１２の一端が水平方向のロッド先端軸９ｃ回りに回動可能に取り付けられている。壁体支持アーム７のウェブ面の内面側には、ブラケット１３を介して水平方向の連結軸８が形成されており、この連結軸８に連結部材１２の他端が回動可能に取り付けられる。
【００２９】
なお、ロッド９ｂの先端には、一対のガイドローラ１４が取り付けられている。アーム支持筐体１０の両フランジ面の上端には、内側に向けてガイド板部１５が水平状に突設されており、転動するガイドローラ１４がガイド板部１５とウェブ面内側とにガイドされることで、ロッド９ｂの伸縮時の振れが防止される。
【００３０】
また、連結軸８にリニアアクチュエータ９を連結するにあたっては、連結部材１２を設けることなく、例えば本体９ａの末端側をアーム支持筐体１０に回動可能に取り付け、ロッド９ｂの先端を直接、連結軸８に回動可能に取り付ける態様とすることもできる。
【００３１】
以上の構成からなる壁体建て起こし装置１の作用について、主に図２を参照して説明する。図２（ａ）に示すように、リニアアクチュエータ９のロッド９ｂが縮退した状態では、壁体支持アーム７がアーム支持筐体１０に重なって格納された状態となり、壁面支持部５が水平に位置し、底面支持部６が鉛直に位置する。壁体Ｗは壁面Ｗａを下向きとして壁体支持アーム７上に横倒しの状態で載置される。
【００３２】
図２（ａ）の状態において、連結軸８は回動軸４とロッド先端軸９ｃとを結ぶ線分よりも上方に位置しているので、図２（ｂ）のように、ロッド９ｂが伸長すると、連結部材１２が連結軸８を介して壁体支持アーム７を押圧し、回動軸４回りに回動させ、最終的に壁体支持アーム７を図２（ｃ）のように鉛直状に起立させる。壁体Ｗは（ａ）から（ｃ）までの間、壁面支持部５および底面支持部６により面支持されているため、安定した建て起こし状態が維持される。
【００３３】
以上のように、壁体Ｗの一壁面である壁面Ｗａおよび底面Ｗｂを載置支持する壁体支持手段２と、水平状態に載置された壁体Ｗを建て起こすように、壁体支持手段２を水平方向の回動軸４回りに回動させる回動手段３と、を備える壁体建て起こし装置１とすれば、壁体Ｗを２つの面で載置支持しながら建て起こすことができるので、壁体Ｗの建て起こし過程の姿勢を常に安定させることができる。
【００３４】
また、壁体支持手段２は、壁体Ｗの上下方向に延設され、壁体Ｗの壁面Ｗａを載置支持する壁面支持部５と、この壁面支持部５の基端から突設され、壁体Ｗの底面Ｗｂを載置支持する底面支持部６とを有し、かつ壁面支持部５の基端寄りに回動軸４を形成した壁体支持アーム７からなり、回動手段３は、壁体支持アーム７の基端寄りに形成された連結軸８と連結するリニアアクチュエータ９を備える構成とすれば、簡易な構造の壁体建て起こし装置１を構築できる。特に、連結軸８を壁体支持アーム７の基端寄りに形成したので、すなわち連結軸８を回動軸４の近傍に位置させたので、リニアアクチュエータ９の伸縮ストロークに関し、短いストロークで壁体支持アーム７を回動させることができる。したがって、装置のコンパクト化が図れる。
【００３５】
さらに、床に設置され、回動軸４を介して壁体支持アーム７を回動支持するとともに、リニアアクチュエータ９を内蔵するアーム支持筐体１０を備え、このアーム支持筐体１０と壁体支持アーム７とをともに断面コの字形の鋼材とし、両鋼材の開口側を互いに対向させて、図２（ａ）のように、通常時は両鋼材を重なり合わせて格納する構成とすれば、コンパクトで施工現場までの搬送性に優れた装置とすることができる。なお、図１に示すように、アーム支持筐体１０には搬送用の取っ手１６等が適宜に取り付けられる。
【００３６】
ここで、壁体Ｗの幅寸法が比較的小さい場合には、壁面支持部５や底面支持部６の幅寸法を大きくとることにより、単体の壁体建て起こし装置１で壁体Ｗの建て起こしに容易に対処できるが、図４に示すような幅寸法が大きい壁体Ｗの場合には、図３に示すように、複数の壁体建て起こし装置１を並設して用いることもできる。この場合、全ての壁体支持アーム７が連動するように、隣接し合う壁体支持アーム７同士を連結アーム１７にて連結させればよい。壁体建て起こし装置１の搬送性を考慮すれば、連結アーム１７は壁体支持アーム７に対して容易に着脱自在であることが好ましく、図３では連結アーム１７をボルト１８により壁体支持アーム７に固定する態様を示している。これによれば、壁体建て起こし装置１と連結アーム１７とを別個に搬送し、施工現場で連結アーム１７に関する組み立てをボルト締め作業のみで迅速に行えることとなる。
【００３７】
次いで、以上の壁体建て起こし装置１を用いた壁体Ｗの建て起こし工法について説明する。図５は、壁体Ｗが壁体建て起こし装置１上に水平に載置された状態を示すもので、（ａ）、（ｂ）はそれぞれ平面図、側面図である。なお、（ａ）では壁体Ｗを仮想線で示している。また、図６における（ａ）、（ｂ）はそれぞれ、壁体Ｗが完全に起立する手前の状態、壁体Ｗが完全に起立した状態を示す側面図である。
【００３８】
図５における壁体Ｗに関しては、予め組み立てたものを壁体建て起こし装置１に載置してもよいし、壁体建て起こし装置１上で組み立ててもよい。後者の場合、床に適宜に支持台２１を設置したうえで、図４に示した枠組みＷｃ等を組み立てていく。また、必要に応じて枠組みＷｃの上下に貫通孔２２、２３を穿設する。さらに、図５（ｂ）に示すように、貫通孔２３に対応させて床（壁下面２５）にはアンカー孔２４を穿設しておく。これら貫通孔２２、２３、アンカー孔２４の機能については後述する。支持台２１の高さは壁体建て起こし装置１の高さとほぼ同一であり、壁体Ｗの組み立て完成後、この支持台２１は撤去される。
【００３９】
また、設置対象の壁下面２５に壁体Ｗを建て起こしたときにこの壁下面２５と壁体Ｗの底面Ｗｂとが接面するように、壁下面２５および底面Ｗｂの少なくとも一方に底面支持部６の逃げ空間２６を形成しておく。図５では逃げ空間２６を壁下面２５側に形成した場合を示しており、壁下面２５に複数の調整パッキン２７を間隔を空けて取り付け、この調整パッキン２７間の空間を逃げ空間２６としている。調整パッキン２７としては、例えば構造用合板などである。この調整パッキン２７を壁体Ｗの底面Ｗｂに取り付けることで、逃げ空間２６を底面Ｗｂ側に形成する構成としてもよい。
【００４０】
さらに、床上に係止部材２８を取り付け、この係止部材２８と壁体Ｗの貫通孔２２との間に、壁体Ｗの転倒防止用のワイヤ２９を緩めた状態で予め連結しておく。なお、ここでいうワイヤ２９とは、鋼線などの他にチェーンをも包含するものとする。
【００４１】
以上の作業が終わったら、油圧ポンプＰを操作して壁体支持アーム７を回動させ、壁体Ｗを建て起こす。そして、図６（ａ）のように、壁体Ｗが完全に起立する手前の段階でワイヤ２９に緊張力を効かせる。完全に起立する手前の段階とは、概ね建て起こし角度が８５度前後の状態をいう。この状態で、壁体Ｗの貫通孔２３がアンカー孔２４に対してほぼ同心状に位置するので、これらの孔に壁体Ｗの滑り防止用のアンカー３０を差し込む。
【００４２】
そして、図６（ａ）の状態から図６（ｂ）に示す壁体Ｗが完全に起立するまでの間、常にワイヤ２９に緊張力がかかるように、作業者は、ワイヤ２９の途上に取り付けてあるホイスト３１をレバー操作してワイヤ長を調整する。作業者の作業形態としては、片手でホイスト３１のレバー操作を行い、もう一方の手で油圧ポンプＰのレバーのポンピング操作を行うようにする。
【００４３】
図６（ｂ）に示すように、壁体Ｗが完全に起立すると、底面支持部６は逃げ空間２６に位置し、底面Ｗｂが壁下面２５（この場合、調整パッキン２７の上面を意味する）に接面することで壁体Ｗの建て起こし動作が終了する。この後、例えば壁体Ｗと直交する他の壁体等を建て起こした後、壁体建て起こし装置１を図６（ｂ）における右方向に移動させることで、壁体建て起こし装置１を撤去する。
【００４４】
以上のように、壁下面２５に壁体Ｗを建て起こしたときにこの壁下面２５と壁体Ｗの底面Ｗｂとが接面するように、壁下面２５および底面Ｗｂの少なくとも一方に底面支持部６の逃げ空間２６を形成すれば、壁体建て起こし装置１を用いた簡易な建て起こし工法を構築できる。この際、逃げ空間２６を、壁下面２５に間隔を空けて複数設置する調整パッキン２７同士の間の空間とすれば、一層簡易な建て起こし工法を構築できる。
【００４５】
また、壁体Ｗが壁体支持手段２上に水平に載置された状態において、壁体Ｗの上縁と床との間に、壁体Ｗの転倒防止用のワイヤ２９を緩めた状態で予め連結し、壁体Ｗが完全に起立する手前の段階から完全に起立するまでの間、手動によりワイヤ長を調整して常にワイヤ２９に緊張力をかけながら壁体Ｗを建て起こす工法とすれば、多くの人手を要することなく略起立状態の壁体Ｗの姿勢を安定させることができ、起立時に壁体Ｗが勢い余って背面側に転倒するという事態を防止できる。
【００４６】
さらに、壁体Ｗが完全に起立する手前の段階において、壁体Ｗの枠組みＷｃの下部に穿設された貫通孔２３を介して、床に穿設されたアンカー孔２４に壁体Ｗの滑り防止用のアンカー３０を挿入する工法とすれば、多くの人手を要することなく略起立状態の壁体Ｗの位置を安定させることができ、起立時に壁体Ｗが勢い余って底面支持部６上を滑るという事態を防止できる。
【００４７】
以上、本発明について好適な実施形態を説明した。図３のように、壁体建て起こし装置１を複数並設させた場合、１台の油圧ポンプＰでこれらを作動させることも可能であり、この場合、各装置の動作をシンクロさせることができ、ポンプ操作の作業人員も一人で済むことになる。
【図面の簡単な説明】
【００４８】
【図１】本発明に係る壁体建て起こし装置の外観斜視図である。
【図２】本発明に係る壁体建て起こし装置の作用側面図である。
【図３】図１に示した壁体建て起こし装置を複数並設して連結した場合の外観斜視図である。
【図４】壁体の外観斜視図である。
【図５】壁体が壁体建て起こし装置上に水平に載置された状態を示す図であり、（ａ）、（ｂ）はそれぞれ平面図、側面図である。
【図６】（ａ）、（ｂ）はそれぞれ、壁体が完全に起立する手前の状態、壁体が完全に起立した状態を示す側面図である。
【図７】従来の壁体の建て起こし方法の説明図である。
【図８】他の従来の壁体の建て起こし方法の説明図である。
【符号の説明】
【００４９】
１      壁体建て起こし装置
２      壁体支持手段
３      回動手段
４      回動軸
５      壁面支持部
６      底面支持部
７      壁体支持アーム
８      連結軸
９      リニアアクチュエータ
１０      アーム支持筐体
１７      連結アーム
２３      貫通孔
２４      アンカー孔
２５      壁下面
２６      逃げ空間
２７      調整パッキン
２９      ワイヤ
３０      アンカー
Ｗ      壁体
Ｗａ    壁面
Ｗｂ    底面
【図１】
2008106493.tif 000003
【図２】
2008106493.tif 000004
【図３】
2008106493.tif 000005
【図４】
2008106493.tif 000006
【図５】
2008106493.tif 000007
【図６】
2008106493.tif 000008
【図７】
2008106493.tif 000009
【図８】
2008106493.tif 000010